【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
金属ストリップ（１）から金属板を切断する装置であって、
前記金属ストリップ（１）の搬送方向（Ｔ）に前進・後退し得るレーザ切断装置（２）と、
切断される前記金属ストリップ（１）を支持し、前記搬送方向において前記レーザ切断装置（２）と同時に前進・後退し得る、支持装置（３，４）と、
前記レーザ切断装置（２）から離間する排出方向（Ａ）において前記帯状支持部材（３，４）の下流に配置された、ダスト排出装置（９）とを備え、
前記支持装置は、第１の帯状支持部材（３）を有する第１の支持手段と、前記第１の帯状支持部材（３）に対向配置された第２の帯状支持部材（４）を有する第２の支持手段とを含み、前記レーザ切断装置（２）のレーザビームが、前記第１および前記第２の帯状支持部材（３，４）の間に設けられたギャップ（Ｓ）に常時向けられるように、前記第１および前記第２の帯状支持部材（３，４）が、前記レーザ切断装置（２）と同時に移動される装置において、
前記ダスト排出装置（９）および／または少なくとも１つの前記帯状支持部材（３，４）に、前記ギャップ（Ｓ）に通風する通風装置（１２，１３ａ，１３ｂ，１３ｃ，１４ａ，１４ｂ）が設けられており、
前記通風装置（１２，１３ａ，１３ｂ，１３ｃ，１４ａ，１４ｂ）が、前記帯状支持部材（３，４）の前記レーザ切断装置（２）に面する支持面（１１ａ，１１ｂ）に設けられた通風溝（１２，１３ａ，１３ｂ，１３ｃ）を含む、装置。
【請求項２】
請求項１に記載の装置において、前記通風溝（１２，１３ａ，１３ｂ，１３ｃ）が、前記支持面（１１ａ，１１ｂ）の前記搬送方向（Ｔ）の長さ（Ｌｇ１）にわたって延在している、装置。
【請求項３】
請求項１または２に記載の装置において、前記通風溝（１２，１３ａ，１３ｂ，１３ｃ）が、前記搬送方向（Ｔ）と平行に又は前記搬送方向（Ｔ）に対して所定の角度をもって延在している、装置。
【請求項４】
請求項１から３のいずれか一項に記載の装置において、前記ダスト排出装置（９）が、ダスト捕集容器（Ｂ１，Ｂ２）、および／または少なくとも一方の前記帯状支持部材（３，４）から延びるダスト排出坑を含む、装置。
【請求項５】
請求項４に記載の装置において、前記通風装置（１２，１３ａ，１３ｂ，１３ｃ，１４ａ，１４ｂ）が、少なくとも一方の前記帯状支持部材（３，４）および／または前記ダスト排出坑（９）および／または前記ダスト捕集容器（Ｂ１，Ｂ２）を通る通風路（１４ａ，１４ｂ）を含む、装置。
【請求項６】
請求項５に記載の装置において、前記通風溝（１２，１３ａ，１３ｂ，１３ｃ）および／または通風路（１４ａ，１４ｂ）に空気を供給するファン（１６）が設けられている、装置。
【請求項７】
請求項４から６のいずれか一項に記載の装置において、前記ダスト排出坑（９）が、前記排出方向（Ａ）に向けて拡がる断面を有する、装置。
【請求項８】
請求項４から７のいずれか一項に記載の装置において、前記帯状支持部材（３，４）および／または前記ダスト排出坑（９）が、銅又は他の、本質的に銅を含有する合金からなる、装置。
【請求項９】
請求項４から８のいずれか一項に記載の装置において、前記ダスト排出坑（９）が、２つの前記帯状支持部材（３，４）の一方のみに取り付けられている、装置。
【請求項１０】
請求項４から９のいずれか一項に記載の装置において、前記ダスト排出坑（９）が、前記排出方向（Ａ）に延びる２つの壁（１０ａ，１０ｂ）により形成されており、少なくとも一方の該壁（１０ａ，１０ｂ）が、一方の前記帯状支持部材（３，４）に取り付けられている、装置。
【請求項１１】
請求項４から１０のいずれか一項に記載の装置において、前記ダスト排出溝（９）の縁部領域に、前記ファン（１６）に接続された通路（１４ａ，１４ｂ）が設けられて、エアーナイフを形成している、装置。
【請求項１２】
請求項１から１１のいずれか一項に記載の装置において、第１の搬送手段（５，７）が前記第１の支持手段の上流に配置されており、第２の搬送手段（６，８）が前記第２の支持手段の下流に配置されている、装置。
【請求項１３】
請求項１から１２のいずれか一項に記載の装置において、前記第１の搬送手段（５，７）および／または第２の搬送手段（６，８）が、コンベアベルトおよび／またはローラコンベアである、装置。
【請求項１４】
請求項４から１３のいずれか一項に記載の装置において、前記ダスト排出坑（９）が、前記ダスト捕集容器（Ｂ１）に連結されているか又は前記ダスト捕集容器（Ｂ１）の一部である、装置。
【請求項１５】
請求項４から１４のいずれか一項に記載の装置において、前記ダスト捕集容器（Ｂ１，Ｂ２）が、該ダスト捕集容器（Ｂ１，Ｂ２）の吸気口から該容器の内部へ向かう排気流（Ａ）を発生させる吸引装置（１８，１９）に接続されている、装置。
【請求項１６】
請求項１から１５のいずれか一項に記載の装置において、前記容器の内部に液体（Ｆ）を供給する液体供給装置（２０）が設けられている、装置。
【請求項１７】
請求項１６に記載の装置において、前記液体供給装置（２０）が、前記ダスト捕集容器（Ｂ１，Ｂ２）の吸気口の近傍に設置され、霧状液滴を生成する少なくとも１つのノズル（２２）を有している、装置。
【請求項１８】
請求項１６または１７に記載の装置において、前記容器の内部に面する内側表面上に、前記液体供給装置（２０）により供給された液体（Ｆ）を吸収する連通多孔空間を持つ層を有する、装置。
【請求項１９】
請求項４から１８のいずれか一項に記載の装置において、前記ダスト捕集容器（Ｂ１）が、ｙ方向において前記金属ストリップ（１）の全幅にわたって延びている、装置。
【請求項２０】
請求項４から１９のいずれか一項に記載の装置において、前記ダスト捕集容器（Ｂ１）の前記吸気口が、スロット状であり、かつ、前記ｙ方向に延びている、装置。
【請求項２１】
請求項２０に記載の装置において、前記ｙ方向に延びるマスクに、スロット状の前記吸気口に合わせて配置されたマスク開口部が設けられており、前記マスクは、移動装置により、前記レーザビームと位置合わせされた状態で前記ｙ方向に前進・後退可能な、装置。
【請求項２２】
請求項４から２１のいずれか一項に記載の装置において、前記ダスト捕集容器（Ｂ１，Ｂ２）が筒状である、装置。
【請求項２３】
請求項４から２２のいずれか一項に記載の装置において、前記ダスト捕集容器（Ｂ２）の軸心が、前記レーザビーム（Ｌ）の照射方向とほぼ平行である、装置。
【請求項２４】
請求項２３に記載の装置において、前記レーザビームが前記ダスト捕集容器（Ｂ２）の前記吸気口に常に位置合わせされるように該ダスト捕集容器（Ｂ２）を同時に前記ｙ方向で前進・後退させる移動装置が設けられている、装置。
【請求項２５】
請求項２３または２４に記載の装置において、前記レーザビーム（Ｌ）の照射方向とほぼ平行に軸心が延びる複数のダスト捕集容器（Ｂ２）が、前記ｙ方向において互いに隣り合って配置されて設けられている、装置。
【請求項２６】
請求項４から２５のいずれか一項に記載の装置において、前記ダスト捕集容器（Ｂ１、Ｂ２）が、排出口（２１）を、切屑（Ｓｓ）又は切屑（Ｓｓ）を含む液体（Ｆ）を取り出すように有している、装置。
【請求項２７】
請求項４から２６のいずれか一項に記載の装置において、前記ダスト排出坑（９）又は前記排出口（２１）の下流に、固定された捕集容器（Ａｂ）が設けられている、装置。
【手続補正２】
【補正対象書類名】明細書
【補正対象項目名】００６４
【補正方法】変更
【補正の内容】
【００６４】
特に図１３から見て取れるように、好ましくは、ギャップＳの前記搬送方向における幅Ｗは、第２の容器Ｂ２の内径Ｄよりも短くなるように調節される。
なお本発明は、実施の態様として以下の内容を含む。
〔態様１〕
金属ストリップ（１）から金属板を切断する装置であって、
前記金属ストリップ（１）の搬送方向（Ｔ）に前進・後退し得るレーザ切断装置（２）と、
切断される前記金属ストリップ（１）を支持し、前記搬送方向において前記レーザ切断装置（２）と同時に前進・後退し得る、支持装置（３，４）と、
前記レーザ切断装置（２）から離間する排出方向（Ａ）において前記帯状支持部材（３，４）の下流に配置された、ダスト排出装置（９）とを備え、
前記支持装置は、第１の帯状支持部材（３）を有する第１の支持手段と、前記第１の帯状支持部材（３）に対向配置された第２の帯状支持部材（４）を有する第２の支持手段とを含み、前記レーザ切断装置（２）のレーザビームが、前記第１および前記第２の帯状支持部材（３，４）の間に設けられたギャップ（Ｓ）に常時向けられるように、前記第１および前記第２の帯状支持部材（３，４）が、前記レーザ切断装置（２）と同時に移動される装置において、
少なくとも１つの前記帯状支持部材（３，４）および／または前記ダスト排出装置（９）に、前記ギャップ（Ｓ）に通風する通風装置（１２，１３ａ，１３ｂ，１３ｃ，１４ａ，１４ｂ）が設けられていることを特徴とする、装置。
〔態様２〕
態様１に記載の装置において、前記通風装置（１２，１３ａ，１３ｂ，１３ｃ，１４ａ，１４ｂ）が、前記帯状支持部材（３，４）の前記レーザ切断装置（２）に面する支持面（１１ａ，１１ｂ）に設けられた通風溝（１２，１３ａ，１３ｂ，１３ｃ）を含む、装置。
〔態様３〕
態様２に記載の装置において、前記通風溝（１２，１３ａ，１３ｂ，１３ｃ）が、前記支持面（１１ａ，１１ｂ）の前記搬送方向（Ｔ）の長さ（Ｌｇ１）にわたって延在している、装置。
〔態様４〕
態様２または３に記載の装置において、前記通風溝（１２，１３ａ，１３ｂ，１３ｃ）が、前記搬送方向（Ｔ）と平行に又は前記搬送方向（Ｔ）に対して所定の角度をもって延在している、装置。
〔態様５〕
態様１から４のいずれか一態様に記載の装置において、前記ダスト排出装置（９）が、ダスト捕集容器（Ｂ１，Ｂ２）、および／または少なくとも一方の前記帯状支持部材（３，４）から延びるダスト排出坑を含む、装置。
〔態様６〕
態様１から５のいずれか一態様に記載の装置において、前記通風装置（１２，１３ａ，１３ｂ，１３ｃ，１４ａ，１４ｂ）が、少なくとも一方の前記帯状支持部材（３，４）および／または前記ダスト排出坑（９）および／または前記ダスト捕集容器（Ｂ１，Ｂ２）を通る通風路（１４ａ，１４ｂ）を含む、装置。
〔態様７〕
態様１から６のいずれか一態様に記載の装置において、前記通風溝（１２，１３ａ，１３ｂ，１３ｃ）および／または通風路（１４ａ，１４ｂ）に空気を供給するファン（１６）が設けられている、装置。
〔態様８〕
態様５から７のいずれか一態様に記載の装置において、前記ダスト排出坑（９）が、前記排出方向（Ａ）に向けて拡がる断面を有する、装置。
〔態様９〕
態様１から８のいずれか一態様に記載の装置において、前記帯状支持部材（３，４）および／または前記ダスト排出坑（９）が、銅又は他の、本質的に銅を含有する合金からなる、装置。
〔態様１０〕
態様５から９のいずれか一態様に記載の装置において、前記ダスト排出坑（９）が、２つの前記帯状支持部材（３，４）の一方のみに取り付けられている、装置。
〔態様１１〕
態様５から１０のいずれか一態様に記載の装置において、前記ダスト排出坑（９）が、前記排出方向（Ａ）に延びる２つの壁（１０ａ，１０ｂ）により形成されており、少なくとも一方の該壁（１０ａ，１０ｂ）が、一方の前記帯状支持部材（３，４）に取り付けられている、装置。
〔態様１２〕
態様５から１１のいずれか一態様に記載の装置において、前記ダスト排出溝（９）の縁部領域に、前記ファン（１６）に接続された通路（１４ａ，１４ｂ）が設けられて、エアーナイフを形成している、装置。
〔態様１３〕
態様１から１２のいずれか一態様に記載の装置において、第１の搬送手段（５，７）が前記第１の支持手段の上流に配置されており、第２の搬送手段（６，８）が前記第２の支持手段の下流に配置されている、装置。
〔態様１４〕
態様１から１３のいずれか一態様に記載の装置において、前記第１の搬送手段（５，７）および／または第２の搬送手段（６，８）が、コンベアベルトおよび／またはローラコンベアである、装置。
〔態様１５〕
態様５から１４のいずれか一態様に記載の装置において、前記ダスト排出坑（９）が、前記ダスト捕集容器（Ｂ１）に連結されているか又は前記ダスト捕集容器（Ｂ１）の一部である、装置。
〔態様１６〕
態様５から１５のいずれか一態様に記載の装置において、前記ダスト捕集容器（Ｂ１，Ｂ２）が、該ダスト捕集容器（Ｂ１，Ｂ２）の吸気口から該容器の内部へ向かう排気流（Ａ）を発生させる吸引装置（１８，１９）に接続されている、装置。
〔態様１７〕
態様１から１６のいずれか一態様に記載の装置において、前記容器の内部に液体（Ｆ）を供給する液体供給装置（２０）が設けられている、装置。
〔態様１８〕
態様１７に記載の装置において、前記液体供給装置（２０）が、前記ダスト捕集容器（Ｂ１，Ｂ２）の吸気口の近傍に設置され、霧状液滴を生成する少なくとも１つのノズル（２２）を有している、装置。
〔態様１９〕
態様１７または１８に記載の装置において、前記容器の内部に面する内側表面上に、前記液体供給装置（２０）により供給された液体（Ｆ）を吸収する連通多孔空間を持つ層を有する、装置。
〔態様２０〕
態様５から１９のいずれか一態様に記載の装置において、前記ダスト捕集容器（Ｂ１）が、ｙ方向において前記金属ストリップ（１）の全幅にわたって延びている、装置。
〔態様２１〕
態様５から２０のいずれか一態様に記載の装置において、前記ダスト捕集容器（Ｂ１）の前記吸気口が、スロット状であり、かつ、前記ｙ方向に延びている、装置。
〔態様２２〕
態様２１に記載の装置において、前記ｙ方向に延びるマスクに、スロット状の前記吸気口に合わせて配置されたマスク開口部が設けられており、前記マスクは、移動装置により、前記レーザビームと位置合わせされた状態で前記ｙ方向に前進・後退可能な、装置。
〔態様２３〕
態様５から２２のいずれか一態様に記載の装置において、前記ダスト捕集容器（Ｂ１，Ｂ２）が筒状である、装置。
〔態様２４〕
態様５から２３のいずれか一態様に記載の装置において、前記ダスト捕集容器（Ｂ２）の軸心が、前記レーザビーム（Ｌ）の照射方向とほぼ平行である、装置。
〔態様２５〕
態様２４に記載の装置において、前記レーザビームが前記ダスト捕集容器（Ｂ２）の前記吸気口に常に位置合わせされるように該ダスト捕集容器（Ｂ２）を同時に前記ｙ方向で前進・後退させる移動装置が設けられている、装置。
〔態様２６〕
態様２４または２５に記載の装置において、前記レーザビーム（Ｌ）の照射方向とほぼ平行に軸心が延びる複数のダスト捕集容器（Ｂ２）が、前記ｙ方向において互いに隣り合って配置されて設けられている、装置。
〔態様２７〕
態様５から２６のいずれか一態様に記載の装置において、前記ダスト捕集容器（Ｂ１、Ｂ２）が、排出口（２１）を、切屑（Ｓｓ）又は切屑（Ｓｓ）を含む液体（Ｆ）を取り出すように有している、装置。
〔態様２８〕
態様５から２７のいずれか一態様に記載の装置において、前記ダスト排出坑（９）又は前記排出口（２１）の下流に、固定された捕集容器（Ａｂ）が設けられている、装置。